(57)【特許請求の範囲】
【請求項１】
空気圧源と、１ないしｎ個のメインジェットノズル及び選択によってはタンデム形メインジェットノズルと、１ないしｎ個の補助ジェットノズル又はリレーノズルと、リードに組み込まれたよこ糸挿入路と、よこ入れに必要な時間又は織機主軸の回転角を実際値として測定し、所定の基準値と比較し、検出された時間又は回転角差値を信号に変換し、メインジェットノズル及び選択によってはタンデム形メインジェットノズルにジェット圧力を給送するために信号を制御調整系へ送る手段とを有するよこ入れシステムを有するエアジェットルームにおいて、
すべてのメインジェットノズル及び選択によってはすべてのタンデム形メインジェットノズル（１ないしｎ）のための制御調整系（５）が、それぞれ圧力センサと制御器を組み込んだ単一の３ポート２位置方向サーボ弁を有し、
圧力管（７）に接続した圧力分配装置（６）が、制御調整系（５）に後置され、
各メインジェットノズル及び各タンデム形メインジェットノズル（１ないしｎ）に配属された電磁制御式方向制御弁（８、９、１０、１１）が、圧力管（１２、１３、１４、１５）を介して、圧力分配装置（６）と、それぞれのメインジェットノズル及びそれぞれのタンデム形メインジェットノズル（１ないしｎ）と連通し、
制御調整系（５）が、圧力源（Ｐ）と圧力分配装置（６）の間に挿設されていることを特徴とするジェットルーム。
【発明の詳細な説明】
【０００１】
【発明の属する技術分野】
本発明は、よこ入れシステムと、メインジェットノズルの給圧のための制御調整系とを有する請求項１の上位概念の特徴に基づくエアジェットルームに関する。
【０００２】
【従来の技術】
ジェットルーム、特にエアジェットルームでは、高いよこ糸速度を得るために、輸送媒体例えば空気からよこ糸への良好な衝撃伝達が必要である。例えばよこ入れ工程でいわゆるよこ糸ミキシング、即ちある種類のよこ糸から別の種類のよこ糸への移行のときに、ほぼ定常な織機回転数でリードのよこ糸挿入路を通る定常なよこ糸飛行時間を得るために、単数又は複数のよこ入れノズルの輸送媒体の圧力を変えることが知られている。製織サイクル内でよこ入れの終端への到達が早すぎるよこ糸も遅すぎるよこ糸も織物組織の欠陥を招く。
【０００３】
定常なよこ糸飛行時間を得るために、製織サイクル中に最も遅いよこ糸も最も速いよこ糸も所定の時間範囲に納まることが実際に保証されるだけの時間をよこ糸に与え、かつそのような量の輸送媒体をよこ糸に作用させる処置が取られた。
【０００４】
別の方法は、すべてのメインジェットノズルに共通して１個の機械式圧力調整装置により圧力を所定のレベルに調整するものである。こうして個々のよこ糸の質の相違にかかわりなく、基準圧力レベルの設定がまず行われる。各メインジェットノズルに絞り弁が配属されており、各個別よこ糸ごとに所定のよこ糸飛行時間を得るために必要な圧力レベルがこの絞り弁で個別に調整される。
【０００５】
【発明が解決しようとする課題】
前者の方法も後者の方法も輸送媒体の供給と消費に関して不経済である。またメインジェットノズルにそれぞれ絞り弁を配属し、いわゆるタンデム形メインジェットノズルを使用する必要がある場合は、これらのノズルにもそれぞれ絞り弁を配属することは、制御調整系の製作費に関して費用がかかり、またジェット圧力を絞り弁で個別に調整することに関して費用がかかる。
【０００６】
よこ糸輸送速度の測定装置と輸送速度を表す信号を制御信号に変換しよこ糸速度を決定するよこ糸輸送系の部品をこの制御信号で調節する制御系とを装備するジェットルームがドイツ国特許第３０４３００３号明細書で知られている。当業者はこの文書で、メインジェットノズルがよこ糸輸送系の部品であり、各メインジェットノズルに圧力制御調整弁が配属されていることを認識する。
【０００７】
本発明の課題は、先行技術の背景のもとで、あらゆる点で安価であり、しかも織機の始動時に最初のよこ入れのために必要な圧力を供給するため、かつよこ入れのつど任意の圧力レベルを敏速に実現するために素早く反応する、メインジェットノズル及び選択によってはタンデム形メインジェットノズルの制御調整系をエアジェットルームのために提供することである。
【０００８】
【課題を解決するための手段及び発明の効果】
本発明に基づきこの課題は、すべてのメインジェットノズル及び選択によってはすべてのタンデム形メインジェットノズルのための制御調整系が、それぞれ圧力センサと制御器を組み込んだ単一の３ポート２位置方向サーボ弁からなることによって解決される。
【０００９】
本発明をさらに発展させた特徴が従属請求項で開示されている。
【００１０】
圧力センサと制御器を組み込んだ単一の３ポート２位置方向制御弁を使用することによって、今や各メインジェットノズルの圧力レベルを直接に、即ち機械的調整なしでエアジェットルームのソフトウエアにより設定することが可能であるという利点がある。
【００１１】
単一の３ポート２位置方向制御弁は、数ミリ秒の範囲内で、即ち約１５ないし２０ｍｓで例えば２．５バールの所要の圧力レベルから例えば５．０バールの別の所要の圧力レベルへ切換えることができるので、先行技術で公知の各メインジェットノズル又は各タンデム形メインジェットノズルへの圧力制御弁の配属を廃止することができる。
【００１２】
【発明の実施の形態】
以下本発明の実施の形態を図面を参照して説明する。
【００１３】
よこ入れシステムは、空気圧力供給源Ｐと、１ないしｎ個のメインジェットノズル１、２、３、ｎと、選択によっては１ないしｎ個のタンデム形メインジェットノズル（図示せず）と、図示しないリードのよこ糸挿入路を通るよこ糸の輸送を助ける図示しない１ないしｎ個の補助ジェットノズル又はリレーノズルと、よこ糸輸送のために必要な時間又は織機主軸の回転角を実際値として測定し、所定の基準値と比較し、検出された時間又は回転角差値を代表信号に変換する手段とからなる。
ここでは信号線４で示したこの信号は制御調整系５へ送られる。制御調整系５は圧力センサと制御器を組み込んだ３ポート２位置方向サーボ弁からなる。
【００１４】
この３ポート２位置方向サーボ弁の機能については周知のことなので詳しく触れる必要はない。すべてのメインジェットノズル１、２、３、ｎの圧力制御調整系のために使用される本発明に基づき単一の制御調整系５に圧力分配装置６が後置される。圧力管７が圧力制御調整系と圧力分配装置６を連絡するから、３ポート２位置方向サーボ弁で設定された圧力は、圧力分配装置６及び各メインジェットノズル１ないしｎに前置した２ポート２位置方向制御弁８、９、１０、１１及び各圧力管１２、１３、１４、１５を経てそれぞれのメインジェットノズル１ないしｎへ供給される。
【００１５】
実施例
エアジェットルームのよこ入れシステムは３つの異なるよこ糸を扱う。各よこ糸は異なる性質を有するから、すべてのよこ糸に対して等しい必要糸飛行時間を得るために、各よこ糸ごとに特別に送られるメインノズル圧力が必要である。
織機の係員は、織機操作卓でメインノズル１のよこ糸に３バールの圧力値、メインノズル２のよこ糸には５バールの圧力値、メインノズル３のよこ糸には２バールの圧力値を入力する。
【００１６】
制御調整系５は信号線４から３バールの基準圧力の設定のための信号を受領する。そこでこの圧力値は圧力分配装置６へ送られ、２ポート２位置方向制御弁８は圧力管１２を経てメインノズル１に至る通路を開放する。２ポート２位置方向制御弁８が閉じた後に制御調整系５は信号線４から基準圧力５バールの設定のための信号を受領する。
【００１７】
メインノズル１について前述したように、今度はメインノズル２に５バールの基準圧力が給送される。次に例えばメインノズル３のためにメインノズル２に比して比較的低い圧力が必要だとして、もし圧力分配装置６に高い圧力レベルが送られているならば、空気抜き接続端Ｒにより少なくともメインジェットノズル３に必要な基準圧力に達するまで引き下げる。
【００１８】
本発明に基づき圧力センサと制御器を組み込んだ３ポート２位置方向サーボ弁をメインジェットノズル及び選択によってはタンデム形メインジェットノズルのための制御調整系として使用することによって、出願人のもとでのテストが証明するように、１０００ｒｐｍの織機回転数と２．５バール又は５バールの場合でも比較的僅かな切換え時間と安定な圧力値が得られた。
【図面の簡単な説明】
【図１】  本発明によるエアジェットルームのよこ入れシステムの概略図である。
【符号の説明】
１  メインジェットノズル
２  メインジェットノズル
３  メインジェットノズル
ｎ  メインジェットノズル
４  信号線
５  制御調整系
６  圧力分配装置
７  圧力管
８  方向制御弁
９  方向制御弁
１０  方向制御弁
１１  方向制御弁
１２  圧力管
１３  圧力管
１４  圧力管
１５  圧力管
Ｐ  圧力源
Ｒ  空気抜き接続端
【図１】
0004071039.tif 000002